(57)【要約】  ユーザ装置およびユーザ装置の無線通信方法を提供する。前記方法は、ユーザ装置が第１のネットワークに接続され、且つ第２のネットワークに接続しようとする場合、第１のネットワークに指示を送信することと、および第１のネットワーク上のユーザ装置の送信を第２のネットワークに切り替えることとを含む。
2021505001.tif 000002
【特許請求の範囲】
【請求項１】
無線通信用のユーザ装置であって、
メモリと、
トランシーバと、および
前記メモリおよび前記トランシーバに結合されたプロセッサとを含み、
前記プロセッサは、
前記ユーザ装置が第１のネットワークに接続され、且つ第２のネットワークに接続しようとする場合、前記トランシーバが前記第１のネットワークに指示を送信することを制御し、および
前記第１のネットワーク上の前記ユーザ装置の送信を前記第２のネットワークに切り替えるように構成される、前記無線通信用のユーザ装置。
【請求項２】
前記プロセッサは、前記第１のネットワーク上の前記ユーザ装置の受信を前記第２のネットワークに切り替えるように構成される、
請求項１に記載の無線通信用のユーザ装置。
【請求項３】
前記トランシーバがシングル送信構造およびシングル受信構造を有する場合、前記プロセッサは、前記第１のネットワーク上の前記ユーザ装置の送信および受信を前記第２のネットワークに切り替えるように構成される、
請求項２に記載の無線通信用のユーザ装置。
【請求項４】
前記トランシーバがシングル送信構造およびデュアル受信構造を有する場合、前記プロセッサは、前記第１のネットワーク上の前記ユーザ装置の送信を前記第２のネットワークに切り替えるように構成される、
請求項１に記載の無線通信用のユーザ装置。
【請求項５】
前記プロセッサは、前記第１のネットワークに第２のネットワーク情報を指示するように構成される、
請求項１ないし４のいずれか一項に記載の無線通信用のユーザ装置。
【請求項６】
前記第２のネットワーク情報は、ターゲットネットワークタイプおよび／またはターゲットネットワークアイデンティティを含む、
請求項５に記載の無線通信用のユーザ装置。
【請求項７】
前記第１のネットワークおよび前記第２のネットワークの一方は進化型パケットコア（ＥＰＣ）であり、前記第１のネットワークおよび前記第２のネットワークの他方は第５世代のコアネットワーク（５ＧＣ）である、
請求項１ないし６のいずれか一項に記載の無線通信用のユーザ装置。
【請求項８】
前記第１のネットワークおよび前記第２のネットワークの一方は１つの公衆陸上移動通信網（ＰＬＭＮ）であり、前記第１のネットワークおよび前記第２のネットワークの他方は別のＰＬＭＮである、
請求項１ないし６のいずれか一項に記載の無線通信用のユーザ装置。
【請求項９】
２つのＰＬＭＮのそれぞれは同等のＰＬＭＮである、
請求項８に記載の無線通信用のユーザ装置。
【請求項１０】
前記プロセッサが前記第１のネットワーク上の前記ユーザ装置の送信を前記第２のネットワークに切り替えた後、前記第１のネットワークは、前記ユーザ装置のユーザ装置接続および／またはコンテキストを一時停止する、
請求項１ないし９のいずれか一項に記載の無線通信用のユーザ装置。
【請求項１１】
前記トランシーバは、前記ユーザ装置のユーザ装置接続および／またはコンテキストの維持に関する確認を前記第１のネットワークから受信するように構成される、
請求項１０に記載の無線通信用のユーザ装置。
【請求項１２】
前記プロセッサは、前記第１のネットワーク上の前記ユーザ装置の送信、または、前記第１のネットワーク上の前記ユーザ装置の送信および受信を前記第２のネットワークに自律的に切り替える、
請求項１ないし１１のいずれか一項に記載の無線通信用のユーザ装置。
【請求項１３】
前記トランシーバが、前記ユーザ装置のユーザ装置接続および／またはコンテキストの維持に関する確認を前記第１のネットワークから受信する場合、前記プロセッサは、前記第１のネットワーク上の前記ユーザ装置の送信、または、前記第１のネットワーク上の前記ユーザ装置の送信および受信を前記第２のネットワークに切り替える、
請求項１１に記載の無線通信用のユーザ装置。
【請求項１４】
前記プロセッサが前記第２のネットワークとの通信を完了した場合、前記プロセッサは、前記第２のネットワーク上の前記ユーザ装置の送信、または前記第２のネットワーク上の前記ユーザ装置の送信および受信を前記第１のネットワークに切り替える、
請求項１ないし１３のいずれか一項に記載の無線通信用のユーザ装置。
【請求項１５】
前記トランシーバは、前記第１のネットワークとの接続を復元するために、前記第１のネットワークに別の指示を送信するように構成される、
請求項１４に記載の無線通信用のユーザ装置。
【請求項１６】
前記トランシーバは、前記第１のネットワークとの接続の復元に関する確認を前記第１のネットワークから受信するように構成される、
請求項１５に記載の無線通信用のユーザ装置。
【請求項１７】
前記第２のネットワークは、前記第１のネットークからユーザ装置情報を検索するように構成される、
請求項１ないし１６のいずれか一項に記載の無線通信用のユーザ装置。
【請求項１８】
前記ユーザ装置情報は、ユーザ装置能力情報を含む、
請求項１７に記載の無線通信用のユーザ装置。
【請求項１９】
前記プロセッサが前記第１のネットワーク上の前記ユーザ装置の送信、または、前記第１のネットワーク上の前記ユーザ装置の送信および受信を前記第２のネットワークに切り替える場合、前記プロセッサは前記第２のネットワークに第１のネットワーク情報を指示する、
請求項１７または１８に記載の無線通信用のユーザ装置。
【請求項２０】
前記第２のネットワークは、ユーザ装置インデックスが第１のネットワーク情報に関する場合、前記第１のネットワーク情報を前記ユーザ装置インデックスから取得するように構成される、
請求項１７または１８に記載の無線通信用のユーザ装置。
【請求項２１】
前記ユーザ装置インデックスは、前記第１のネットワーク情報を含む、
請求項２０に記載の無線通信用のユーザ装置。
【請求項２２】
前記第１のネットワーク情報は、前記ユーザ装置インデックスからマッピングされる、
請求項２０に記載の無線通信用のユーザ装置。
【請求項２３】
ユーザ装置の無線通信方法であって、
前記ユーザ装置が第１のネットワークに接続され、且つ第２のネットワークに接続しようとする場合、前記第１のネットワークに指示を送信することと、および
前記第１のネットワーク上の前記ユーザ装置の送信を前記第２のネットワークに切り替えることとを含む、前記ユーザ装置の無線通信方法。
【請求項２４】
前記第１のネットワーク上の前記ユーザ装置の受信を前記第２のネットワークに切り替えることをさらに含む、
請求項２３に記載のユーザ装置の無線通信方法。
【請求項２５】
前記ユーザ装置がシングル送信構造およびシングル受信構造を有する場合、前記方法は、前記第１のネットワーク上の前記ユーザ装置の送信および受信を前記第２のネットワークに切り替えることを含む、
請求項２４に記載のユーザ装置の無線通信方法。
【請求項２６】
前記ユーザ装置がシングル送信構造およびデュアル受信構造を有する場合、前記方法は、前記第１のネットワーク上の前記ユーザ装置の送信を前記第２のネットワークに切り替えることを含む、
請求項２３に記載のユーザ装置の無線通信方法。
【請求項２７】
第２のネットワーク情報を前記第１のネットワークに指示することをさらに含む、
請求項２３ないし２６のいずれか一項に記載のユーザ装置の無線通信方法。
【請求項２８】
前記第２のネットワーク情報は、ターゲットネットワークタイプおよび／またはターゲットネットワークアイデンティティを含む、
請求項２７に記載のユーザ装置の無線通信方法。
【請求項２９】
前記第１のネットワークおよび前記第２のネットワークの一方は進化型パケットコア（ＥＰＣ）であり、前記第１のネットワークおよび前記第２のネットワークの他方は第５世代のコアネットワーク（５ＧＣ）である、
請求項２３ないし２８のいずれか一項に記載のユーザ装置の無線通信方法。
【請求項３０】
前記第１のネットワークおよび前記第２のネットワークの一方は１つのＰＬＭＮであり、前記第１のネットワークおよび前記第２のネットワークの他方は別のＰＬＭＮである、
請求項２３ないし２８のいずれか一項に記載のユーザ装置の無線通信方法。
【請求項３１】
２つのＰＬＭＮのそれぞれは同等のＰＬＭＮである、
請求項３０に記載のユーザ装置の無線通信方法。
【請求項３２】
前記第１のネットワーク上の前記ユーザ装置の送信を前記第２のネットワークに切り替えた後、前記第１のネットワークは、前記ユーザ装置のユーザ装置接続および／またはコンテキストを一時停止する、
請求項２３ないし３１のいずれか一項に記載のユーザ装置の無線通信方法。
【請求項３３】
前記ユーザ装置のユーザ装置接続および／またはコンテキストの維持に関する確認を前記第１のネットワークから受信することをさらに含む、
請求項３２に記載のユーザ装置の無線通信方法。
【請求項３４】
前記第１のネットワーク上の前記ユーザ装置の送信、または、前記第１のネットワーク上の前記ユーザ装置の送信および受信を前記第２のネットワークに自律的に切り替えることをさらに含む、
請求項２３ないし３３のいずれか一項に記載のユーザ装置の無線通信方法。
【請求項３５】
前記ユーザ装置が、前記ユーザ装置のユーザ装置接続および／またはコンテキストの維持に関する確認を前記第１のネットワークから受信する場合、前記第１のネットワーク上の前記ユーザ装置の送信、または、前記第１のネットワーク上の前記ユーザ装置の送信および受信を前記第２のネットワークに切り替えることをさらに含む、
請求項３３に記載のユーザ装置の無線通信方法。
【請求項３６】
前記第２のネットワークとの通信を完了し、前記第２のネットワーク上の前記ユーザ装置の送信、または前記第２のネットワーク上の前記ユーザ装置の送信および受信を前記第１のネットワークに切り替えることをさらに含む、
請求項２３ないし３５のいずれか一項に記載のユーザ装置の無線通信方法。
【請求項３７】
前記第１のネットワークとの接続を復元するために、前記第１のネットワークに別の指示を送信することをさらに含む、
請求項３６に記載のユーザ装置の無線通信方法。
【請求項３８】
前記第１のネットワークとの接続の復元に関する確認を前記第１のネットワークから受信することをさらに含む、
請求項３７に記載のユーザ装置の無線通信方法。
【請求項３９】
前記第２のネットワークは、前記第１のネットークからユーザ装置情報を検索するように構成される、
請求項２３ないし３８のいずれか一項に記載のユーザ装置の無線通信方法。
【請求項４０】
前記ユーザ装置情報は、ユーザ装置能力情報を含む、
請求項３９に記載のユーザ装置の無線通信方法。
【請求項４１】
前記第１のネットワーク上の前記ユーザ装置の送信、または、前記第１のネットワーク上の前記ユーザ装置の送信および受信を前記第２のネットワークに切り替え、前記第２のネットワークに第１のネットワーク情報を指示することをさらに含む、
請求項３９または４０に記載のユーザ装置の無線通信方法。
【請求項４２】
前記第２のネットワークは、ユーザ装置インデックスが第１のネットワーク情報に関する場合、前記第１のネットワーク情報を前記ユーザ装置インデックスから取得するように構成される、
請求項３９または４０に記載のユーザ装置の無線通信方法。
【請求項４３】
前記ユーザ装置インデックスは、前記第１のネットワーク情報を含む、
請求項４２に記載のユーザ装置の無線通信方法。
【請求項４４】
前記第１のネットワーク情報は、前記ユーザ装置インデックスからマッピングされる、
請求項４２に記載のユーザ装置の無線通信方法。
【請求項４５】
非一時的な機械読み取り可能な記憶媒体であって、
命令が記憶され、前記命令がコンピュータによって実行される時に、前記命令は、前記コンピュータが請求項２３ないし４４のいずれか一項に記載の方法を実行するようにする、前記非一時的な機械読み取り可能な記憶媒体。
【請求項４６】
端末装置であって、
前記端末装置は、プロセッサ、およびコンピュータプログラムを記憶するように構成されるメモリを含み、前記プロセッサは、請求項２３ないし４４のいずれか一項に記載の方法を実行するために、前記メモリに記憶された前記コンピュータプログラムを実行するように構成される、前記端末装置。
【発明の詳細な説明】
【技術分野】
【０００１】
本開示は、通信システム分野に関し、特にユーザ装置およびユーザ装置の無線通信方法に関する。
【背景技術】
【０００２】
二重登録（ＤＲ：ｄｕａｌ  ｒｅｇｉｓｔｒａｔｉｏｎ）操作モードを使用する場合、ユーザ装置（ＵＥ：ｕｓｅｒ  ｅｑｕｉｐｍｅｎｔ）の動作はＵＥの下位層機能の影響を受ける。具体的に、ＵＥは以下の３つの下位層機能のうちの１つを有することができる。
【０００３】
１、シングル受信（Ｒｘ）：当該機能により、ＵＥは１つのシステム（ネットワークなど）でのみアクティブに送信および受信することができる。別のシステムのぺージングチャネル（Ｐａｇｉｎｇ  Ｃｈａｎｎｅｌ）を確認し、または定期的な登録更新するなど、前記別のシステム内で他の任意のアクティビティを実行するために、ＵＥは現在のシステムから「チューンアウェイ（ｔｕｎｅ−ａｗａｙ）」する必要がある。
【０００４】
２、デュアルＲｘ／シングル送信（Ｔｘ）：当該機能により、ＵＥは、別のシステムのぺージングチャネルをリスニングすることができ、同時に現在のシステムではアクティブ状態である。ＵＥが、別のシステムでぺージングメッセージを応答し、または定期的な登録更新など、前記別のシステムで他の任意のアクティビティを実行する必要がある場合、ＵＥは現在のシステムから再び「チューンアウェイ」する必要がある。
【０００５】
３、デュアルＲｘ／デュアルＴｘ：当該機能により、ＵＥは２つのシステムで同時に送信および受信することができる。
【０００６】
前記のように、シングルＲｘまたはデュアルＲｘ／シングルＴｘを有するＵＥは、別のシステムで送信を実行する同時に、現在のシステムから「チューンアウェイ」する必要があるが、これはＵＥが１つの無線アクセス技術（ＲＡＴ：ｒａｄｉｏ  ａｃｃｅｓｓ  ｔｅｃｈｎｏｌｏｇｙ）のみを介して送信するためである。
【０００７】
これは、ＵＥが必ず現在のシステムへの接続を自律的に解放し、別のシステムにアクセスする必要があることを意味する。ネットワークの観点から見ると、ＵＥはカバレッジを越えているようである。ネットワークは、カバレッジ外のＵＥを処理することができるが、ネットワークアルゴリズムおよび主要業績評価指標（ＫＰＩ：ｋｅｙ  ｐｅｒｆｏｒｍａｎｃｅ  ｉｎｄｉｃａｔｏｒｓ）に影響を与える。
【０００８】
したがって、先行技術の前記技術的課題を解決するために、ユーザ装置およびユーザ装置の無線通信方法を提供する必要がある。
【発明の概要】
【発明が解決しようとする課題】
【０００９】
本開示の目的は、ユーザ装置がチューンアウェイされる時に良好な接続管理を提供することができるために、ユーザ装置およびユーザ装置の無線通信方法を提供する。
【課題を解決するための手段】
【００１０】
本開示の第１の態様において、無線通信用のユーザ装置は、メモリ、トランシーバ、および前記メモリとトランシーバに結合されたプロセッサを含む。プロセッサは、プロセッサが第１のネットワークに接続され、且つ第２のネットワークに接続しようとする場合、トランシーバが第１のネットワークに指示を送信することを制御し、第１のネットワーク上のユーザ装置の送信を第２のネットワークに切り替えるように構成される。
【００１１】
本開示の第２の態様において、ユーザ装置の無線通信方法は、ユーザ装置が第１のネットワークに接続され且つ第２のネットワークに接続しようとする場合、第１のネットワークに指示を送信することと、第１のネットワーク上の当該ユーザ装置の送信を第２のネットワークに切り替えることとを含む。
【００１２】
本開示の第３の態様において、非一時的な機械読み取り可能な記憶媒体であって、命令が記憶され、前記命令がコンピュータによって実行される時にコンピュータに前記方法を実行させる。
【００１３】
本開示の第４の態様において、端末装置は、プロセッサ、およびコンピュータプログラムを記憶するように構成されるメモリを含む。プロセッサは、前記方法を実行するために、メモリに記憶された前記コンピュータプログラムを実行するように構成される。
【００１４】
本開示の実施例において、当該ユーザ装置およびユーザ装置の無線通信方法は、次のことを意図する。シングル受信（Ｒｘ）またはデュアルＲｘ／シングル送信（Ｔｘ）ＵＥなどのユーザ装置（ＵＥ）が現在の接続の維持を使用して、現在のシステム（ネットワークなど）から別のシステムへのチューニングを一時停止することであり、そして、ＵＥが別のシステムに戻る場合、ＵＥは古い接続に復元することができる時に最適化を提案することができる。ＵＥが別のシステムにある場合、古いシステムの接続および／またはコンテキストはネットワーク（コアネットワークまたはアクセスネットワークなど）および／またはＵＥに記憶される。
【図面の簡単な説明】
【００１５】
本開示の実施例または関連技術をより明確に説明するために、実施例で説明される以下の図面を簡略的に紹介する。明らかなことは、これらの図面は、本開示のいくつかの実施例に過ぎず、当業者は寄与することなく、これらの図面に従って他の図面を取得することができる。
【図１】本開示の実施例に係る無線通信用のユーザ装置のブロック図である。
【図２】本開示の実施例に係るユーザ装置の無線通信方法を示すフローチャートである。
【図３】本開示の実施例に係る無線通信用のユーザ装置のブロック図である。
【図４】本開示の実施例に係る無線通信用のユーザ装置のブロック図である。
【図５】本開示の実施例に係る無線通信おためのシステムのブロック図である。
【発明を実施するための形態】
【００１６】
以下は、図面を参照して、技術的主題、構造的特徴、達成された目的、および効果を通じて本開示の実施例を詳細に説明する。具体的に、本開示の実施例における用語は、特定の実施例を説明するためにのみ使用され、本開示を限定するものではない。
【００１７】
図１に示すように、いくつかの実施例において、無線通信用のユーザ装置（ＵＥ）１０は、プロセッサ１１、メモリ１２およびトランシーバ１３を含むことができる。プロセッサ１１は、前記具体的な実施形態で説明される提案された機能、プロセスおよび／または方法を実現するように構成されることができる。プロセッサ１１で無線インターフェースプロトコルの各層を実現することができる。メモリ１２は、プロセッサ１１に操作可能に結合され、メモリ１２は、プロセッサ１１を操作するために、様々な情報を記憶する。トランシーバ１３は、プロセッサ１１に操作可能に結合され、トランシーバ１３は、無線信号を送信および／または受信する。
【００１８】
プロセッサ１１は、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路および／またはデータ処理装置を含むことができる。メモリ１２は、読み取り専用メモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、フラッシュメモリ、メモリカード、記憶媒体および／または他の記憶装置を含むことができる。トランシーバ１３は、無線周波数信号を処理するために、ベースバンド回路を含むことができる。ソフトウェアで実施例を実現する場合、本明細書に説明された技術は、本明細書に説明された機能のモジュール（例えば、プロセス、機能など）を通じて実現することができる。これらのモジュールは、メモリ１２に記憶され、さらにプロセッサ１１によって実行されることができる。プロセッサ１１内またはプロセッサ１１の外部でメモリ１２を実現することができ、プロセッサ１１の外部でメモリ１２を実現する場合、メモリ１２は、本分野で周知される様々な方式によってプロセッサ１１に通信可能に結合することができる。
【００１９】
第３世代パートナーシッププロジェクト（３ＧＰＰ：３ｒｄ  ｇｅｎｅｒａｔｉｏｎ  ｐａｒｔｎｅｒｓｈｉｐ  ｐｒｏｊｅｃｔ）ニューラジオ（ＮＲ：ｎｅｗ  ｒａｄｉｏ）バージョン１６およびより高いバージョンで開発されたサイドシンク（ｓｉｄｅｌｉｎｋ）技術によれば、ＵＥ間の通信は車両対モノ（Ｖ２Ｘ：ｖｅｈｉｃｌｅ−ｔｏ−ｅｖｅｒｙｔｈｉｎｇ）通信に関し、前記Ｖ２Ｘ通信は、車両間（Ｖ２Ｖ：ｖｅｈｉｃｌｅ−ｔｏ−ｖｅｈｉｃｌｅ）、車両対歩行者（Ｖ２Ｐ：ｖｅｈｉｃｌｅ−ｔｏ−ｐｅｄｅｓｔｒｉａｎ）および車両対インフラ／ネットワーク（Ｖ２Ｉ／Ｎ：ｖｅｈｉｃｌｅ−ｔｏ−ｉｎｆｒａｓｔｒｕｃｔｕｒｅ／ｎｅｔｗｏｒｋ）を含む。ＵＥは、ＰＣ５インターフェースなどのサイドリンクインターフェースを介してお互い直接に通信する。
【００２０】
いくつかの実施例において、プロセッサ１１は、プロセッサ１１が第１のネットワークに接続され、且つ第２のネットワークに接続しようとする時に、トランシーバ１３を制御して、第１のネットワークに指示を送信し、第１のネットワーク上のユーザ装置１０の送信を第２のネットワークに切り替えるように構成される。
【００２１】
図２は、本開示の実施例に係るユーザ装置１０の無線通信方法４００を示す。
【００２２】
前記方法４００は、ブロック４０２において、ユーザ装置１０が第１のネットワークに接続され且つ第２のネットワークに接続しようとする場合、第１のネットワークに指示を送信することと、およびブロック４０４において、前記第１のネットワーク上の前記ユーザ装置１０の送信を第２のネットワークに切り替えることとを含む。
【００２３】
いくつかの実施例において、プロセッサ１１は、第１のネットワーク上のユーザ装置の送信を第２のネットワークに切り替えるように構成される。トランシーバ１３がシングル送信構造およびシングル受信構造（例えば、図３に示された送信機１３１および受信機１３２）を有する場合、プロセッサ１１は、第１のネットワーク上のユーザ装置１０の送信および受信を第２のネットワークに切り替えるように構成される。
【００２４】
いくつかの実施例において、トランシーバ１３がシングル送信構造およびデュアル受信構造（例えば、図４に示された送信機１３３および受信機１３４と１３５）を有する場合、プロセッサ１１は、第１のネットワーク上のユーザ装置１０の送信を第２のネットワークに切り替えるように構成される。
【００２５】
いくつかの実施例において、プロセッサ１１は、第１のネットワークに第２のネットワーク情報を指示するように構成される。第２のネットワーク情報は、ターゲットネットワークタイプおよび／またはターゲットネットワークＩＤを含む。例えば、第２のネットワークは、コアネットワークまたはアクセスネットワークである。第１のネットワークは第２のネットワークと異なる。
【００２６】
いくつかの実施例において、第１のネットワークと第２のネットワークの一方は進化型パケットコア（ＥＰＣ：ｅｖｏｌｖｅｄ  ｐａｃｋｅｔ  ｃｏｒｅ）であり、第１のネットワークと第２のネットワークの他方は第５世代のコアネットワーク（５ＧＣ：ｆｉｆｔｈ−ｇｅｎｅｒａｔｉｏｎ  ｃｏｒｅ  ｎｅｔｗｏｒｋ）である。
【００２７】
いくつかの実施例において、第１のネットワークおよび第２のネットワークの一方は１つの公衆陸上移動通信網（ＰＬＭＮ：ｐｕｂｌｉｃ  ｌａｎｄ  ｍｏｂｉｌｅ  ｎｅｔｗｏｒｋ）であり、第１のネットワークおよび第２のネットワークの他方は別のＰＬＭＮである。いくつかの実施例において、２つのＰＬＭＮのそれぞれは同等のＰＬＭＮである。
【００２８】
いくつかの実施例において、プロセッサ１１が第１のネットワーク上のユーザ装置１０の送信を第２のネットワークに切り替えた後、第１のネットワークは、ユーザ装置１０のユーザ装置接続および／またはコンテキストを一時停止する。例えば、ユーザ装置１０のユーザ装置接続および／またはコンテキストは、ネットワークおよび／またはメモリ１２に記憶される。
【００２９】
いくつかの実施例において、トランシーバ１３は、ユーザ装置１０のユーザ装置接続および／またはコンテキストの維持に関する確認を第１のネットワークから受信するように構成される。プロセッサ１１は、第１のネットワーク上のユーザ装置１０の送信、または第１のネットワーク上のユーザ装置１０の送信および受信を第２のネットワークに自律的に切り替える。別の実施例において、トランシーバ１３が、ユーザ装置１０のユーザ装置接続および／またはコンテキストの維持に関する確認を第１のネットワークから受信する場合、プロセッサ１１は、第１のネットワーク上のユーザ装置１０の送信、または第１のネットワーク上のユーザ装置１０の送信および受信を前記第２のネットワークに切り替える。
【００３０】
いくつかの実施例において、プロセッサ１１が第２のネットワークとの通信を完了した場合、プロセッサ１１は、第２のネットワーク上のユーザ装置１０の受信、または第２のネットワーク上のユーザ装置１０の送信および受信を第１のネットワークに切り替える。トランシーバ１３は、第１のネットワークとの接続を復元するために、第１のネットワークに別の指示を送信するように構成される。トランシーバ１３は、第１のネットワークとの接続の復元に関する確認を第１のネットワークから受信するように構成される。
【００３１】
いくつかの実施例において、第２のネットワークは、第１のネットワークからユーザ装置情報を検索するように構成される。ユーザ装置情報は、ユーザ装置能力情報を含む。プロセッサ１１が第１のネットワーク上のユーザ装置１０の送信、または、第１のネットワーク上のユーザ装置１０の送信および受信を第２のネットワークに切り替える場合、プロセッサ１１は第２のネットワークに第１のネットワーク情報を指示する。第２のネットワークは、ユーザ装置インデックスが第１のネットワーク情報に関する場合、第１のネットワーク情報をユーザ装置インデックスから取得するように構成される。ユーザ装置インデックスは、第１のネットワーク情報を含む。別の実施例において、第１のネットワーク情報は、ユーザ装置インデックスからマッピングされる。
【００３２】
例えば、ユーザ装置インデックスは、５Ｇのグロバルに唯一の一時的ＵＥ識別子（５Ｇ−ＧＵＴＩ：５Ｇ  ｇｌｏｂａｌｌｙ  ｕｎｉｑｕｅ  ｔｅｍｐｏｒａｒｙ  ＵＥ  ｉｄｅｎｔｉｔｙ）と４Ｇ−ＧＵＴＩの間のマッピングを提供する。ＵＥ１０が５ＧＣからＥＰＣに移動する場合、ＵＥ１０は、５Ｇ−ＧＵＴＩを４Ｇ−ＧＵＴＩにマッピングする必要がある。
【００３３】
いくつかの実施例において、５Ｇ−ＧＵＴＩから４Ｇ−ＧＵＴＩまでのマッピングを実行する：５ＧＣのＭＣＣをＥＰＣ（即ち４Ｇシステム）のＭＣＣにマッピングする。５ＧＣのＭＮＣをＥＰＣのＭＮＣにマッピングする。５ＧＣのＡＭＦエリアＩＤをＥＰＣのＭＭＥグループＩＤにマッピングする。５ＧＣのＡＭＦセットＩＤおよびＡＭＦポインタをＥＰＣのＭＭＥコードにマッピングする。５ＧＣの５Ｇ−ＴＭＳＩをＥＰＣのＭ−ＴＭＳＩにマッピングする。ＭＣＣおよびＭＮＣは、以前の３ＧＰＰシステムと同じフィールドサイズを有する。５Ｇ−ＴＭＳＩは３２ビット長である。ＡＭＦエリアＩＤは１６ピット長である。ＡＭＦセットＩＤは４ピット長である。ＡＭＦポインタは４ピット長である。
【００３４】
図５は、本開示の実施例に係る無線通信用の例示のシステム７００のブロック図である。任意の適切に構成されたハードウェアおよび／またはソフトウェアを使用して本明細書で説明される実施例をシステムに実装させることができる。図５はシステム７００を示し、前記システム７００は、少なくとも図に示されたお互いに結合される無線周波数（ＲＦ：ｒａｄｉｏ  ｆｒｅｑｕｅｎｃｙ）回路７１０、ベースバンド回路７２０、アプリケーション回路７３０、メモリ／記憶装置７４０、ディスプレイ７５０、カメラ７６０、センサ７７０および入力／出力（Ｉ／Ｏ：ｉｎｐｕｔ／ｏｕｔｐｕｔ）インターフェース７８０を含む。
【００３５】
アプリケーション回路７３０は、１つまたは複数のシングルコアまたはマルチコアプロセッサの回路を含むことができるが、これらに限定されない。プロセッサは、グラフィックプロセッサ、応用プロセッサなどの汎用プロセッサおよび専用プロセッサの任意の組み合せを含むことができる。プロセッサは、メモリ／記憶装置に結合されることができ、プロセッサは、様々な応用および／または動作システムがシステムで実行するように、メモリ／記憶装置の命令を記憶するように構成される。
【００３６】
ベースバンド回路７２０は、１つまたは複数のシングルコアまたはマルチコアプロセッサの回路を含むことができるが、これらに限定されない。プロセッサは、ベースバンドプロセッサを含むことができる。ベースバンド回路は、無線制御機能の処理を行うことができ、これらの機能はＲＦ回路を介して１つまたは複数の無線ネットワークと通信を行うようにする。無線制御機能は、信号変調、エンコード、デコード、無線周波数シフトなどが含まれるが、これらに限定されない。いくつかの実施例において、ベースバンド回路は、１つまたは複数の無線技術と互換性のある通信を提供することができる。例えば、いくつかの実施例において、ベースバンド回路は進化した汎用陸上無線アクセスネットワーク（ＥＵＴＲＡＮ：ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）および／または他のワイヤレスメトロポリタンエリアネットワーク（ＷＭＡＮ：ｗｉｒｅｌｅｓｓ  ｍｅｔｒｏｐｏｌｉｔａｎ  ａｒｅａ  ｎｅｔｗｏｒｋｓ）、ワイヤレスローカルエリアネットワーク（ＷＬＡＮ：ｗｉｒｅｌｅｓｓ  ｌｏｃａｌ  ａｒｅａ  ｎｅｔｗｏｒｋ）、ワイヤレスパーソナルエリアネットワーク（ＷＰＡＮ：ｗｉｒｅｌｅｓｓ  ｐｅｒｓｏｎａｌ  ａｒｅａ  ｎｅｔｗｏｒｋ）との通信をサポートすることができる。ここで、ベースバンド回路は、複数の無線プロトコルをサポートする無線通信の実施例をマルチモードベースバンド回路と称するように構成される。
【００３７】
様々な実施例において、ベースバンド回路７２０は、厳密にベースバンド周波数にあると見なされない信号で動作する回路を含むことができる。例えば、いくつかの実施例において、ベースバンド回路は、中間周波数の信号で動作する回路を含むことができ、前記中間周波数は、ベースバンド周波数と無線周波数の間にある。
【００３８】
ＲＦ回路７１０は、変調された電磁放射を使用して、非固体媒体を介して無線ネットワークと通信することができる。様々な実施例において、無線ネットワークとの通信を促進するために、ＲＦ回路は、スイッチ、フィルタ、アンプなどを含むことができる。
【００３９】
様々な実施例において、ＲＦ回路７１０は、厳密に無線周波数にあると見なされない信号で動作する回路を含むことができる。例えば、いくつかの実施例において、ＲＦ回路は、中間周波数の信号で動作する回路を含むことができ、前記中間周波数は、ベースバンド周波数と無線周波数の間にある。
【００４０】
様々な実施例において、ユーザ装置、ｅＮＢまたはｇＮＢに関して上記で説明した送信機回路、制御回路または受信機回路は、ＲＦ回路、ベースバンド回路および／またはアプリケーション回路の１つまたは複数の回路で完全にまたは部分的に具体化され得る。本明細書に使用されるように、「回路」は、１つまたは複数のソフトウェアまたはファームウェアプログラムを実行するＡＳＩＣ、電子回路、プロセッサ（共有、専用またはグループ）および／またはメモリ（共有、専用またはグループ）、論理回路組み合わせおよび／または説明された機能を提供する他の適切なハードウェアコンポーネント、またはこれらの一部、またはこれらを含むものを実行することであり得る。いくつかの実施例において、電子装置回路は、１つまたは複数のソフトウェアまたはファームウェアモジュールで実現することができ、または回路に関する機能は、１つまたは複数のソフトウェアまたはファームウェアモジュールによって実現されることができる。
【００４１】
いくつかの実施例において、ベースバンド回路、アプリケーション回路および／またはメモリ／記憶装置の構成部品の一部または全ては、システムオンチップ（ＳＯＣ：ｓｙｓｔｅｍ  ｏｎ  ａ  ｃｈｉｐ）上で実現することができる。
【００４２】
メモリ／記憶装置７４０は、システムのためのデータおよび／または命令などの読み込み、および記憶のためであり得る。一実施例のメモリ／記憶装置は、適切な揮発性メモリ（ダイナミックランダムアクセスメモリ（ＤＲＡＭ：ｄｙｎａｍｉｃ  ｒａｎｄｏｍ  ａｃｃｅｓｓ  ｍｅｍｏｒｙ）など）および／または非揮発性メモリ（フラッシュメモリなど）の任意の組み合わせを含むことができる。
【００４３】
様々な実施例において、Ｉ／Ｏインターフェース７８０は、システムとのユーザの相互作用を可能にするように設計された１つまたは複数のユーザインターフェースおよび／またはシステムとの相互作用を可能にするように設計された周辺コンポーネントインターフェースを含むことができる。ユーザインターフェースは、物理的なキーボードまたはキーパット、タッチパッド、スピーカ、マイクなどを含むことができるが、これらに限定されない。周辺コンポーネントインターフェースは、非揮発性メモリポート、汎用シリアルバス（ＵＳＢ：ｕｎｉｖｅｒｓａｌ  ｓｅｒｉａｌ  ｂｕｓ）ポート、オーディオジャックおよび電源インターフェースを含むことができるが、これらに限定されない。
【００４４】
様々な実施例において、センサ７７０は、システムに関する環境条件および／または位置情報を決定するために、１つまたは複数のセンシング装置を含むことができる。いくつかの実施例において、センサは、ジャイロセンサ、加速度計、接近センサ、環境光センサおよびポジショニングユニットを含むことができるが、これらに限定されない。ポジショニングユニットは、さらに、ポジショニングネットワークのコンポーネント（例えば、グローバルポジショニングシステム（ＧＰＳ：ｇｌｏｂａｌ  ｐｏｓｉｔｉｏｎｉｎｇ  ｓｙｓｔｅｍ）衛星）と通信するために、ベースバンド回路および／またはＲＦ回路の一部、またはベースバンド回路および／またはＲＦ回路の相互作用であり得る。
【００４５】
様々な実施例において、ディスプレイ７５０は、液晶ディスプレイおよびタッチスクリーンディスプレイなどのディスプレイを含むことができる。様々な実施例において、システム７００は、ラップトップコンピューティング装置、タブレットコンピューティング装置、ネットブック、ウルトラブック、スマートフォンなどのモバイルコンピューティング装置であり得るが、これらに限定されない。様々な実施例において、システムは、より多いまたはより少ないコンポーネントおよび／または異なるアーキテクチャを有してもよい。適切な場合、本明細書で説明される方法は、コンピュータプログラムとして実現されることができる。前記コンピュータプログラムは、非一時的記憶媒体などの記憶媒体に記憶されてもよい。
【００４６】
本開示の実施例において、前記ユーザ装置およびユーザ装置の無線通信方法は、シングルＲｘまたはデュアルＲｘ／シングルＴｘＵＥなどのユーザ装置（ＵＥ）が現在の接続の維持を使用して、現在のシステム（ネットワークなど）から別のシステムへのチューニングを一時停止することであり、そして、ＵＥが別のシステムに戻る場合、ＵＥは古い接続に復元することができる時に最適化を提案することができる。ＵＥが別のシステムにある場合、古いシステムの接続および／またはコンテキストはネットワーク（コアネットワークまたはアクセスネットワークなど）および／またはＵＥに記憶される。本開示の実施例は、最終製品を作成するために３ＧＰＰ仕様に採用することができる技術／プロセスの組み合わせである。
【００４７】
当業者は、本開示の実施例で説明および開示されたユニット、アルゴリズムおよびステップは、電子ハードウェア、またはコンピュータに使用されるソフトウェアおよび電子ハードウェアの組み合せによって実現されることを理解されたい。これらの機能がハードウェアで実行されるかソフトウェアで実行されるかは、技術的解決策の特定の応用および設計の条件に依存する。
【００４８】
当業者は、異なる方式を使用して各特定応用の機能を実現することができ、このような実現は本開示の範囲を超えてはならない。当業者は、前記システム、装置およびユニットの作業プロセスはほぼ同じであり、彼／彼女は前記実施例におけるシステム、装置およびユニットの作業プロセスを参照し得ることを理解されたい。説明の便宜上および簡潔のために、これらの作業プロセスは再び詳細に説明されない。
【００４９】
他の方式を使用して本開示の実施例に開示されたシステム、装置およびユニットを実現することができることを理解されたい。前記実施例は例示的である。ユニットの分割は、単に論理機能に基づき、実現中には他の分割も存在する。多数のユニットまたはコンポーネントは、他のシステムに組み合わせまたは統合されることができる。特定の機能を省略またはスキップすることもできる。もう一方では、示されたまたは説明した相互結合、直接結合、または通信結合は、電気的、機械的、または他の形の一部のポート、デバイスまたはユニットを介して間接的にまたは通信的に動作する。
【００５０】
説明に使用される分離コンポーネントとしてのユニットは、物理的に分離されるか、分離されない。表示に使用されるユニットは、物理ユニットであり、または物理ユニットではない、即ち、１つの位置に配置され、または複数のネットワークユニットに分散される。ユニットの一部または全ては、実施例の目的に従って使用される。さらに、各実施例における各機能ユニットは、１つの物理的に独立した処理ユニットまたは２つ以上のユニットを有する１つの処理ユニットに統合されてもよい。
【００５１】
ソフトウェア機能ユニットが製品として実装、使用または販売される場合、前記ソフトウェア機能ユニットをコンピュータの読み取り可能記憶媒体に記憶することができる。このような理解に基づいて、本開示で提供された技術的解決案は、本質でまたは一部的は、ソフトウェア製品の形で実装される。または、従来の技術に有益な技術的解決案の一部は、ソフトウェア製品の形で実装されることができる。コンピュータにおけるソフトウェア製品は記憶媒体に記憶され、前記ソフトウェア製品は、本開示の実施例に開示されたステップの全てまたは一部に使用される複数の命令である。前記記憶媒体は、ＵＳＢディスク、モバイルハードディスク、ＲＯＭ、ＲＡＭ、フロッピーディスクまたはプログラムコードを記憶することができる他の媒体を含む。
【００５２】
本開示は、最も実用的および好ましい実施例と考えられるものを組み合わせて説明したが、本開示は開示された実施例に限定されず、添付の特許請求の範囲の最も広い解釈から逸脱しない範囲で実装された各レイアウトをカバーすることを意図することを理解されたい。
【図１】
2021505001.tif 000003
【図２】
2021505001.tif 000004
【図３】
2021505001.tif 000005
【図４】
2021505001.tif 000006
【図５】
2021505001.tif 000007
【国際調査報告】
2021505001.tif 000008
2021505001.tif 000009